(57)【要約】【課題】  使用上安全であるとともに使用する長さ分だけ引き出したロールペーパーを、片手で容易にしかも確実に切り取ることができるロールペーパーホルダーを提供する。【解決手段】  ロールペーパーホルダー１は、ロールペーパーの巻き芯部を嵌める支持棒２と、支持棒２の手前側に位置してかつ支持棒２と一体としたカットバー３から成るロールペーパー装填体４を基板５に上下方向揺動自在に軸止部６で軸止してある。カットバー３は、刃が幅方向に凹凸３ａ，３ｂを繰り返しかつ刃先３ｄが直線状でその両端に角部３ｅ，３ｅを形成している凹凸刃である。支持棒２に装填したロールペーパーの巻き端を水平方向ないしは上向きに引くとロールペーパーの外周面が基板５面から浮上ないしは緩い接触状態となり、かつ下向きに引くとロールペーパーの外周面が基板５面に圧接状態となる。【選択図】  図１
2016087039.tif 000002
【特許請求の範囲】
【請求項１】
ロールペーパーを装填しその巻き端から順次所要の長さ分だけ引き出して切り取るロールペーパーホルダーであって、
ロールペーパーの巻き芯部を嵌める支持棒と、支持棒の手前側に位置してかつ支持棒と一体としたカットバーを備えたロールペーパー装填体を基板に上下方向揺動自在に軸止して成り、
前記カットバーは、刃が幅方向に凹凸を繰り返しかつ刃先が直線状でその両端に角部を形成している凹凸刃であること
を特徴とするロールペーパーホルダー。
【請求項２】
ロールペーパー装填体は、その支持棒に装填したロールペーパーの巻き端を水平方向ないしは上向きに引くとロールペーパーの外周面を基板面から浮上ないしは緩い接触状態とし、ロールペーパーの巻き端を下向きに引くとロールペーパーの外周面を基板面に圧接状態とする機能を有していることを特徴とする請求項１記載のロールペーパーホルダー。
【請求項３】
カットバーは、刃先側からみて山形に緩い円弧状をなす形状であることを特徴とする請求項１又は２記載のロールペーパーホルダー。
【請求項４】
幅方向にミシン目を入れてそのほぼ中間部分に長い切り目を入れたロールペーパーをセットして使用することを特徴とする請求項１ないし３のいずれかに記載のロールペーパーホルダー。
【発明の詳細な説明】
【技術分野】
【０００１】
本発明は、トイレットペーパーなどのロールペーパーを装填してその巻き端から順次所要の長さ分だけ引き出して切り取るロールペーパーホルダーに関するものである。
【背景技術】
【０００２】
ホルダー本体に装填したロールペーパーの巻き端の垂れ下がった部分を摘んで手前側に使用長さ分だけ引き出し、ホルダー本体の手前側下部に位置するカッター部に引っ掛けて片手操作で切り取ることができるようにしたトイレットペーパーホルダーは、特開平８−２８０５７７号公報に記載されている。
また、ロールペーを装填する支持軸をその基端を固定してあって先端を開放状態とした片持ち構造のロールペーパーホルダーは、従来から種々のものが提案されている（例えば、特開２０００−２３７０９２号公報、特開２０００−９３３４６号公報、特開２００１−７８９２１公報公報、特開２００１−３６０号公報、実開平５−８２３９５号公報および実用新案登録第３０４２７１４号公報参照）。
【先行技術文献】
【特許文献】
【０００３】
【特許文献１】特開平８−２８０５７７号公報
【特許文献２】特開２０００−２３７０９２号公報
【特許文献３】特開２０００−９３３４６号公報
【特許文献４】特開２００１−７８９２１号公報
【特許文献５】特開２００１−３６０号公報
【特許文献６】実開平５−８２３９５号公報
【特許文献７】実用新案登録第３０４２７１４号公報
【発明の概要】
【発明が解決しようとする課題】
【０００４】
前掲の特開２０００−２３７０９２号公報において紹介されているロールペーパーホルダーによれば、支持軸の開放端からロールペーパーを簡便に装填することができ、しかも使用する長さ分を引き出したペーパーをカットバーに当てて引き上げることにより切り取ることができるので、ロールペーパーの引き出しとカッティングとを片手でもできるが、片手での操作ではやはりロールペーパーを切りにくいのも実情である。
すなわち、ロールペーパーの引き出しとカッティング操作は、ロールペーパーの軸心に対して一方向に限られるので、ペーパーホルダーの取付態様や場所の状況、あるいは使用者の身障度合や状態によっては、使い勝手が必ずしも良いとはいえないものである。
【０００５】
また、カットバーは鋸歯状の刃部を設けてあるのでロールペーパーの切れ味は良好であるとしても、刃部はその刃先が鋭いので使用上の安全面での問題点も指摘されている。
【０００６】
そこで本発明は、このような問題点を解消しようとするものであって、ロールペーパーの巻き芯部を嵌める支持棒と、支持棒の手前側に位置してかつ支持棒と一体としたカットバーから成るロールペーパー装填体を基板に上下方向揺動自在に軸止し、前記カットバーは、刃が幅方向に凹凸を繰り返しかつ刃先が直線状でその両端に角部を形成している凹凸刃であることにより、使用する長さ分だけ引き出したロールペーパーは、凹凸刃の凹凸両端の角部と直線状の刃先によって片手で容易にしかも確実に切り取ることができるものでありながら、手指が刃先に当たっても刃先の凹凸部分に食い込むことがなく、良好な切れ味のものであっても高い安全性を確保することができるロールペーパーホルダーを提供することを目的とするものである。
【課題を解決するための手段】
【０００７】
上記目的を達成する本発明の請求項１に係るロールペーパーホルダーは、ロールペーパーを装填しその巻き端から順次所要の長さ分だけ引き出して切り取るロールペーパーホルダーであって、ロールペーパーの巻き芯部を嵌める支持棒と、支持棒の手前側に位置してかつ支持棒と一体としたカットバーを備えたロールペーパー装填体を基板に上下方向揺動自在に軸止して成り、前記カットバーは、刃が幅方向に凹凸を繰り返しかつ刃先が直線状でその両端に角部を形成している凹凸刃であることを特徴とするものである。
【０００８】
本発明に係るロールペーパーホルダーは、その支持棒に装填したロールペーパーの巻き端を水平方向ないしは上向きに引くとロールペーパーの外周面を基板面から浮上ないしは緩い接触状態とし、ロールペーパーの巻き端を下向きに引くとロールペーパーの外周面を基板面に圧接状態とする機能を有しており、カットバーは、刃先側からみて山形に緩い円弧状をなす形状であり、さらには、幅方向にミシン目を入れてそのほぼ中間部分に長い切り目を入れたロールペーパーをセットして使用するものであることが好適である。
【発明の効果】
【０００９】
本発明に係るロールペーパーホルダーによれば、ロールペーパーの巻き芯部を嵌める支持棒と、支持棒の手前側に位置してかつ支持棒と一体としたカットバーから成るロールペーパー装填体を基板に上下方向揺動自在に軸止してあるので、ロールペーパーの巻き端を水平方向ないしは上向きに引くとロールペーパーの外周面を基板面から浮上ないしは緩い接触状態とし、ロールペーパーの巻き端を下向きに引くとロールペーパーの外周面を基板面に圧接状態として、使用する長さ分だけ引き出したペーパーを片手で容易にしかも確実に切り取ることができるとともに、手指が刃先に当たっても刃先の凹凸部分に食い込むことがなく、良好な切れ味のものであっても高い安全性を確保することができる効果が得られるものである。
【図面の簡単な説明】
【００１０】
【図１】本発明の一実施の形態に係るロールペーパーホルダーの全体斜視図およびその刃部の拡大平面図である。
【図２】ロールペーパーを装填した態様を示すロールペーパーホルダーの全体斜視図である。
【図３】ロールペーパーの引き出し態様および切り取り態様を示すそれぞれの側面図である。
【図４】ロールペーパーホルダーの少量時の作用説明側面図である。
【図５】本発明の他の実施の形態に係るロールペーパーホルダーの全体斜視図である。
【図６】長い幅のキッチンペーパーを装填した態様を示す全体斜視図である。
【図７】ミシン目および切り目を入れたロールペーパーを装填した使用態様の一例を示す全体斜視図である。
【図８】本発明のさらに他の実施の形態を示すロールペーパーホルダの全体斜視図および楕円ａ部分を拡大して示す詳細図である。
【発明を実施するための形態】
【００１１】
図１ないし図５において、１はロールペーパーホルダーである。このロールペーパーホルダー１は、ロールペーパーの芯部を一方側から挿通して嵌める支持棒２と、前記支持棒２と一体でその手前に位置するカットバー３とで成るロールペーパー装填体４を基板５に上下方向揺動自在に軸止して構成されている。６はその軸止部である。基板５はロールペーパーホルダー１を壁面等に取り付ける部材となるものである。
【００１２】
カットバー３は、刃が幅方向に凹凸ａ，３ｂを繰り返しかつ刃先３ｄが直線状でその両端に角部３ｅ，３ｅを形成している凹凸刃であって、刃先側からみて山形に緩い円弧状をなす形状である。７はペーパー支持プレートである。支持棒２の開放端には玉状の止め部材８が取り付けられている。カットバー３の開放端には玉状の案内部材９が取り付けられている。
カットバー３は、図１に示すように刃先側からみて山形に緩い円弧状をなす形状であるのが、ロールペーパーの切れ味を良くするうえで好適である。そして、その円弧をなす角度は３°〜５°程度であることが良好な切れ味を確保するうえで好ましい。
カットバー３の凹凸刃は、前記のように幅方向に凹凸ａ，３ｂを繰り返しかつ刃先３ｄが直線状でその両端に角部３ｅ，３ｅを形成しているが、使用する長さ分だけ引き出したロールペーパー１０は、凹凸刃の凹凸３ａ，３ｂの両端の角部３ｅ，３ｅと直線状の刃先によって片手で容易にしかも確実に切り取ることができるものでありながら、手指が刃先に当たっても刃先の凹凸３ａ，３ｂの部分に食い込むことがないので、その両端の角部３ｅ，３ｅに手指が当たらず、良好な切れ味のものであっても高い安全性を確保することができる。
【００１３】
本発明に係るロールペーパーホルダ１によれば、ロールペーパー装填体４の支持棒２に装填したロールペーパー１０の巻き端１０ａを水平方向ないしは上向きに引くとロールペーパー１０の外周面が基板５面から浮上ないしは緩い接触状態となり、ロールペーパー１０を容易に必要長さ分を引き出すことができる。そしてロールペーパー１０の巻き端１０ａを下向きに引くとロールペーパー１０の外周面が基板５の前面に圧接状態となって固定状態となり、かつ引き出した分をカットバー３に当てて下向きに引く状態となるので、その部位をカットバー３により容易にしかも確実に切断することができる。
ロールペーパー装填体４にロールペーパー１０を装填する際には、ロールペーター１０の芯穴の一端部分を玉状の止め部材８を乗り越えて支持棒２に引っ掛け、カットバー３の玉状の案内部材９にロールペーパー１０の側面を案内させながら差し込むことにより、ロールペーパー１０を容易にしかも適確に装填することができる。
【００１４】
本発明に係るロールペーパーホルダ１においては、図５に示すように、必要に応じてルーフプレート（上面覆い部材）１１を装着することができる。すなわち、ルーフプレート１１を取り付ける際には、ロールペーパーホルダ１を取り付ける壁面とロールペーパー装填体４の基板５との間にルーフプレート１１の基部を挟み込んで保持した状態で基板５を壁面に取り付けネジを締め付けて固定する。なお、このルーフプレート１１は取り付けネジを少しだけで緩めることにより着脱自在である。
【００１５】
本発明に係るロールペーパーホルダー１には、図６に示すように、幅方向にミシン目１２ａを入れてそのほぼ中間部分に長い切り目１２ｂを入れたロールペーパー１２をセットして使用するのが好適である。
すなわち、このロールペーパー１２の場合には、ロールペーパー１２の巻き端１２ｃを摘まんで所要長さ分を引き出したうえ、ミシン目１２ａ及び長い切り目１２ｂの無い箇所１２ｄをカットバー３に当たる状態で巻き端１２ｃを下方向に引けば、カットバー３が刃先側からみて山形に円弧状をなしていることと相俟ってロールペーパー１２のさらなる引き出しがカットバーに３より確実に止められたうえ、先ず長い切り目１２ｂの部分が開いてその左右のミシン目１２ａを軽くしかも確実に切り離すことができるのである。そして、所要長さ分が切り離された後に残ったロールペーパー１２の巻き端部分１２ｅはカットバー３の位置から垂れ下がるので、その巻き端部分１２ｅが次回の使用時の巻き端として摘まみやすく使い勝手が大変良好である。
【００１６】
また、本発明に係るロールペーパーホルダ１には、図７に示すように、幅の長いロールペーパー（キッチンペーパー)１３を装填して使用することができる。この場合においては、支持棒２に装填されたキッチンペーパー１３の芯穴の内面に玉状の止め部材８が当たってキッチンペーパー１３の軸方向の移動を確実に止める作用をするので、キッチンペーパー１３の巻き端１３ａを下向きに引いて軸方向に切り進めても、支持棒２からキッチンペーパー１３の抜け出しが生じない。
【００１７】
図８に示す実施の形態においては、物置台となる天板１４の基部に左右の側面化粧板１５，１５を装着した構成となっている。左右の側面化粧板１５，１５は、天板１４の基部にそれぞれ着脱可能であり、右側の側面化粧板１５は、天板１４の基部に設けた取付ピン１６，１６に側面化粧板１５の取付孔１７，１７を嵌め込んで下方向に押し下げることによって固定される。側面化粧板１５を取り外すときは側面化粧板１５を上方に引き上げたうえ前方に引く操作をすればよい。なお、図８には右側の側面化粧板１５の取付構造を示しているが、左側の側面化粧板も同様に着脱可能な構造である。
【符号の説明】
【００１８】
１  ロールペーパーホルダー
２  支持棒
３  カットバー
３ａ，３ｂ  凹凸
３ｃ，３ｃ  角部
３ｄ  刃先
３ｅ，３ｅ  角部
４  ロールペーパー装填体
５  基板
６  軸止部
７  ペーパー支持プレート
８  玉状の止め部材
９  玉状の案内部材
１０  ロールペーパー
１０ａ  巻き端
１１  ルーフプレート（上面覆い部材）
１２  ロールペーパー
１２ａ  ミシン目
１２ｂ  切り目
１２ｃ  巻き端
１２ｅ  垂れ下がる巻き端部分
１３  幅の長いロールペーパー（キッチンペーパー）
１３ａ  巻き端
１４  天板
１５，１５  側面化粧板
１６，１６  取付ピン
１７，１７  取付孔
【図１】
2016087039.tif 000003
【図２】
2016087039.tif 000004
【図３】
2016087039.tif 000005
【図４】
2016087039.tif 000006
【図５】
2016087039.tif 000007
【図６】
2016087039.tif 000008
【図７】
2016087039.tif 000009
【図８】
2016087039.tif 000010